(57)【要約】  本発明の実施例はスケジューリング要求伝送制御方法及び関連製品を開示し、端末がネットワーク側装置に指示する必要がある第一パラメータの参照情報を取得することであって、第一パラメータが端末の伝送対象のキャッシュデータに関連するパラメータであることと、端末予め設定された第一パラメータの情報と物理上り制御チャネル（ＰＵＣＣＨ）リソースの第二パラメータの情報との間のマッピング関係を問い合わせ、第一パラメータの参照情報に対応するＰＵＣＣＨリソースの第二パラメータの参照情報を取得することであって、第二パラメータがＳＲを伝送するためのＰＵＣＣＨリソースに関連するパラメータであることと、端末が第二パラメータの参照情報によって決定されるＰＵＣＣＨリソースにおいてキャッシュデータをスケジューリングするためのスケジューリング要求（ＳＲ）を伝送することと、含む。本発明の実施例は、無線通信システムにおいてスケジューリング要求を伝送する柔軟性を向上させること、及び無線通信システムにおけるデータ伝送チャネルのリソーススケジューリング効率を向上させることに有利である。
2020519125.tif 000002
【特許請求の範囲】
【請求項１】
スケジューリング要求伝送制御方法であって、
端末がネットワーク側装置に指示する必要がある第一パラメータの参照情報を取得することであって、前記第一パラメータが前記端末の伝送対象のキャッシュデータに関連するパラメータであり、前記第一パラメータの参照情報はネットワーク側装置が認可リソースを決定することに用いられ、前記認可リソースが前記キャッシュデータを伝送することに用いられることと、
前記端末が予め設定された第一パラメータの情報と物理上り制御チャネル（ＰＵＣＣＨ）リソースの第二パラメータの情報との間のマッピング関係を問い合わせ、前記第一パラメータの参照情報に対応するＰＵＣＣＨリソースの第二パラメータの参照情報を取得することであって、前記第二パラメータがスケジューリング要求（ＳＲ）を伝送するためのＰＵＣＣＨリソースに関連するパラメータであることと、
前記端末が前記第二パラメータの参照情報によって決定されるＰＵＣＣＨリソースにおいて前記キャッシュデータをスケジューリングするための前記ＳＲを伝送することと、を含むことを特徴とする、前記スケジューリング要求伝送制御方法。
【請求項２】
前記端末がネットワーク側装置に指示する必要がある第一パラメータの参照情報を取得する前、前記方法はさらに、
前記端末が前記キャッシュデータを取得することを含むことを特徴とする
請求項１に記載の方法。
【請求項３】
前記端末がネットワーク側装置に指示する必要がある第一パラメータの参照情報を取得することは、
前記端末が前記キャッシュデータを伝送する上り共有チャネル（ＵＬ−ＳＣＨ）リソースを取得していないことを検出した時、ネットワーク側装置に指示する必要がある第一パラメータの参照情報を取得することを含むことを特徴とする
請求項１又は２に記載の方法。
【請求項４】
前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含むことを特徴とする
請求項１〜３のいずれか１項に記載の方法。
【請求項５】
前記端末の伝送対象のキャッシュデータに関連するパラメータは、前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含むことを特徴とする
請求項１〜４のいずれか１項に記載の方法。
【請求項６】
前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含むことを特徴とする
請求項１〜５のいずれか１項に記載の方法。
【請求項７】
スケジューリング要求伝送制御方法であって、
ネットワーク側装置が第二パラメータの参照情報によって決定される物理上り制御チャネル（ＰＵＣＣＨ）リソースにおいてキャッシュデータをスケジューリングするためのスケジューリング要求（ＳＲ）を受信することであって、前記第二パラメータが前記ＳＲを伝送するためのＰＵＣＣＨリソースに関連するパラメータであることと、
前記ネットワーク側装置が予め設定された第一パラメータの情報と物理上り制御チャネル（ＰＵＣＣＨ）リソースの第二パラメータの情報との間のマッピング関係を問い合わせ、前記第二パラメータの参照情報に対応する第一パラメータの参照情報を取得することであって、前記第一パラメータが端末の伝送対象のキャッシュデータに関連するパラメータであることと、
前記ネットワーク側装置が前記キャッシュデータを伝送するための認可リソースのリソーススケジューリング命令を送信することであって、前記リソーススケジューリング命令が前記第二パラメータの参照情報によって決定される認可リソースの指示情報を含むことと、を含むことを特徴とする、前記スケジューリング要求伝送制御方法。
【請求項８】
前記ネットワーク側装置が前記キャッシュデータを伝送するための認可リソースのリソーススケジューリング命令を送信した後、前記方法はさらに、
前記ネットワーク側装置が前記第二パラメータの参照情報によって決定される認可リソースにおいて前記キャッシュデータを受信することを含むことを特徴とする
請求項７に記載の方法。
【請求項９】
前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含むことを特徴とする
請求項７又は８に記載の方法。
【請求項１０】
前記端末の伝送対象のキャッシュデータに関連するパラメータは、前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含むことを特徴とする
請求項７〜９のいずれか１項に記載の方法。
【請求項１１】
前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含むことを特徴とする
請求項７〜１０のいずれか１項に記載の方法。
【請求項１２】
端末であって、
処理ユニット及び通信ユニットを含み、
前記処理ユニットは、前記通信ユニットによりネットワーク側装置に指示する必要がある第一パラメータの参照情報を取得するように構成され、前記第一パラメータが前記端末の伝送対象のキャッシュデータに関連するパラメータであり、前記第一パラメータの参照情報はネットワーク側装置が認可リソースを決定することに用いられ、前記認可リソースが前記キャッシュデータを伝送することに用いられ、及び、予め設定された第一パラメータの情報と物理上り制御チャネル（ＰＵＣＣＨ）リソースの第二パラメータの情報との間のマッピング関係を問い合わせ、前記第一パラメータの参照情報に対応するＰＵＣＣＨリソースの第二パラメータの参照情報を取得するように構成され、前記第二パラメータが前記ＳＲを伝送するためのＰＵＣＣＨリソースに関連するパラメータであり、及び、前記第二パラメータの参照情報によって決定されるＰＵＣＣＨリソースにおいて前記通信ユニットにより前記キャッシュデータをスケジューリングするためのスケジューリング要求（ＳＲ）を伝送するように構成されることを特徴とする、前記端末。
【請求項１３】
ネットワーク側装置であって
処理ユニット及び通信ユニットを含み、
前記処理ユニットは、第二パラメータの参照情報によって決定される物理上り制御チャネル（ＰＵＣＣＨ）リソースにおいて前記通信ユニットによりキャッシュデータをスケジューリングするためのスケジューリング要求（ＳＲ）を受信するように構成され、前記第二パラメータが前記ＳＲを伝送するためのＰＵＣＣＨリソースに関連するパラメータであり、及び、予め設定された第一パラメータの情報と物理上り制御チャネル（ＰＵＣＣＨ）リソースの第二パラメータの情報との間のマッピング関係を問い合わせ、前記第二パラメータの参照情報に対応する第一パラメータの参照情報を取得するように構成され、前記第一パラメータが端末の伝送対象のキャッシュデータに関連するパラメータであり、及び、前記通信ユニットにより前記キャッシュデータを伝送するための認可リソースのリソーススケジューリング命令を送信するように構成され、前記リソーススケジューリング命令が前記第二パラメータの参照情報によって決定される認可リソースの指示情報を含むことを特徴とする、前記ネットワーク側装置。
【請求項１４】
端末であって、
１つの又は複数のプロセッサ、メモリ、通信インタフェース、及び１つの又は複数のプログラムを含み、前記１つの又は複数のプログラムが前記メモリに記憶され、且つ前記１つの又は複数のプロセッサで実行されるように構成され、前記プログラムが請求項１〜６のいずれか１項に記載の方法におけるステップを実行するための命令を含むことを特徴とする、前記端末。
【請求項１５】
ネットワーク側装置であって、
１つの又は複数のプロセッサ、メモリ、送受信機、及び１つの又は複数のプログラムを含み、前記１つの又は複数のプログラムが前記メモリに記憶され、且つ前記１つの又は複数のプロセッサで実行されるように構成され、前記プログラムが請求項７〜１１のいずれか１項に記載の方法におけるステップを実行するための命令を含むことを特徴とする、前記ネットワーク側装置。
【請求項１６】
コンピュータ読み取り可能な記憶媒体であって、
コンピュータが請求項１〜６のいずれか１項に記載の方法を実行できるように、電子データ交換のためのコンピュータプログラムを記憶することを特徴とする、前記コンピュータ読み取り可能な記憶媒体。
【請求項１７】
コンピュータ読み取り可能な記憶媒体であって、
コンピュータが請求項７〜１１のいずれか１項に記載の方法を実行できるように、電子データ交換のためのコンピュータプログラムを記憶することを特徴とする、前記コンピュータ読み取り可能な記憶媒体。
【請求項１８】
コンピュータプログラム製品であって、
請求項１〜６のいずれか１項に記載の方法をコンピュータが実行できるように動作可能な、コンピュータプログラムを記憶する非一時的なコンピュータ可読記憶媒体を備えることを特徴とする、前記コンピュータプログラム製品。
【請求項１９】
コンピュータプログラム製品であって、
請求項７−１１のいずれか１項に記載の方法をコンピュータが実行できるように動作可能な、コンピュータプログラムを記憶する非一時的なコンピュータ可読記憶媒体を備えることを特徴とする、前記コンピュータプログラム製品。
【発明の詳細な説明】
【技術分野】
【０００１】
本発明は通信技術分野に関し、特にスケジューリング要求伝送制御方法及び関連製品に関する。
【背景技術】
【０００２】
現在、第５世代移動通信システム（５ｔｈ−Ｇｅｎｅｒａｔｉｏｎ：５Ｇ）ＮＲは第３世代移動体通信システムの標準化プロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）組織において新たに提案された１つの課題である。次世代の５Ｇ技術の検討を徐々に深めるに伴って、一方では、通信システムには下位互換性があるため、後に研究開発された新しい技術は前に既に標準化された技術に互換性がある傾向があるが、他方では、第４世代移動通信システム（ｔｈｅ  ４ｔｈ  Ｇｅｎｅｒａｔｉｏｎ  ｍｏｂｉｌｅ  ｃｏｍｍｕｎｉｃａｔｉｏｎ：４Ｇ）ＬＴＥに大量の従来の設計が既に存在するため、互換性があることを達成しようすると、必然的に５Ｇの多くの柔軟性を犠牲にして、それにより特性を低下させる。従って、従来３ＧＰＰ組織における２つの方向で並行研究を行い、下位互換性がある技術検討グループを考えず、５Ｇ  ＮＲと呼称される。
【０００３】
ＬＴＥ  ＭＡＣ層プロトコル（ＴＳ  ３６．３２１  ＭＡＣプロトコル）によって規定されるＬＴＥシステムにおけるユーザー装置のスケジューリング要求（Ｓｃｈｅｄｕｌｉｎｇ  Ｒｅｑｕｅｓｔ：ＳＲ）伝送メカニズムにおいて、ユーザー装置が伝送対象のデータ（該伝送対象のデータは無線リンク制御ＲＬＣ層及び／又はパケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層にキャッシュされるデータである加工性がある）を送信しようとすると、ユーザー装置は現在の伝送時間間隔（ＴＴＩ）に物理上り制御チャネル（Ｐｈｙｓｉｃａｌ  Ｕｐｌｉｎｋ  Ｃｏｎｔｒｏｌ  ＣＨａｎｎｅｌ：ＰＵＣＣＨ）リソースがあるかどうかを判断する。ＰＵＣＣＨリソース構成があり、且つスケジューリング要求禁止タイマー（ｓｒ−ＰｒｏｈｉｂｉｔＴｉｍｅｒ）が実行されていない場合（ｓｒ−ＰｒｏｈｉｂｉｔＴｉｍｅｒがＲＲＣシグナリングで構成され、主な目的は頻繁なＳＲ伝送が多すぎるＰＵＣＣＨリソースを占用することを制限することである）、物理（ＰＨＹ）層エンティティが対応するＰＵＣＣＨリソースにおいてＳＲを送信するように指示する。簡単には、ＳＲのトリガー及び送信の原因はユーザー装置のある１つ又はあるグループの論理チャネルにキャッシュされた伝送対象のデータ（例えば、ＲＬＣ層及び／又はＰＤＣＰ層のキャッシュデータ）があり、さらに、ユーザー装置が対応する伝送対象のデータを伝送する上り共有チャネル（ＵＬ−ＳＣＨ）リソースを取得していないためである。ＳＲを伝送するために、ユーザー装置が有効的なＰＵＣＣＨリソースを取得する必要がある。ユーザー装置があるＴＴＩに有効的なＰＵＣＣＨリソースを取得できると、ＭＡＣ層エンティティが物理（ＰＨＹ）層エンティティに、対応するＰＵＣＣＨリソースにおいてＳＲを伝送することを通知できる。ＳＲの対応するパラメータ（例えばＳＲを伝送するＰＵＣＣＨリソース）は無線リソース制御ＲＲＣ層エンティティにより構成され、ＲＲＣシグナリングの構成情報ユニットＩＥは以下に示すとおりである。
【０００４】
ＳｃｈｅｄｕｌｉｎｇＲｅｑｕｅｓｔＣｏｎｆｉｇ  ：：＝     
ＣＨＯＩＣＥ  ｛
ｒｅｌｅａｓｅ ＮＵＬＬ，
ｓｅｔｕｐ   ＳＥＱＵＥＮＣＥ  ｛
ｓｒ−ＰＵＣＣＨ−ＲｅｓｏｕｒｃｅＩｎｄｅｘ        ＩＮＴＥＧＥＲ  （０．．２０４７），
ｓｒ−ＣｏｎｆｉｇＩｎｄｅｘ              ＩＮＴＥＧＥＲ  （０．．１５７），
ｄｓｒ−ＴｒａｎｓＭａｘ  ＥＮＵＭＥＲＡＴＥＤ  ｛ｎ４，  ｎ８，  ｎ１６，  ｎ３２，  ｎ６４，  ｓｐａｒｅ３，  ｓｐａｒｅ２，  ｓｐａｒｅ１｝
｝
｝。
【０００５】
ｓｒ−ＰＵＣＣＨ−ＲｅｓｏｕｒｃｅＩｎｄｅｘはＵＥがＳＲを伝送するＰＵＣＣＨの周波数領域リソースを指示し、ｓｒ−ＣｏｎｆｉｇＩｎｄｅｘはＵＥがＳＲを伝送するＰＵＣＣＨの時間領域リソースを指示し、ｄｓｒ−ＴｒａｎｓＭａｘはＳＲ伝送の最大回数を決める。ｓｒ−ＣｏｎｆｉｇＩｎｄｅｘがどのようにＳＲの時間領域位置を決めるかについては、ＴＳ  ３６．２１３規定に基づき、ＳＲの伝送実例は以下のような等式を満たす上りサブフレームである。
【０００６】
2020519125.tif 000003
ｎｆがシステムフレーム番号、ｎｓがタイムスロット（ｓｌｏｔ）番号であり、Ｎｏｆｆｓｅｔ，ＳＲがＳＲのオフセット量であり、ＩｓｒがＲＲＣ層エンティティにより構成され、Ｉｓｒに基づいてどのサブフレームにおいてＳＲを伝送するかを決定できる。ユーザー装置がＳＲを伝送するＰＵＣＣＨリソースの時間領域周期とサブフレームオフセット量との間の関係は表１に示される。
【０００７】
2020519125.tif 000004
以上から分かるように、従来のＬＴＥ  ＭＡＣ層プロトコルにおいて、ＳＲがＭＡＣ層エンティティによりトリガーされ、且つＭＡＣ層エンティティにより物理（ＰＨＹ）層エンティティに、対応する（有効）ＰＵＣＣＨリソースにおいてＳＲの伝送を行うことを指示し、且つスケジューリング要求（ＳＲ）が物理（ＰＨＹ）層においてただ１ｂｉｔ情報であり、すなわち、ユーザー装置には伝送を必要とする伝送対象のデータがあるかどうかのみを指示でき、ネットワーク側装置が該伝送対象のデータに対応する伝送時間間隔（ＴＴＩ）等の構成情報を知るために、さらなるシグナリングオーバーヘッドを必要とするため、ＬＴＥシステムの伝送対象のデータに対するＳＲのリソーススケジューリング効率が低下し、将来の通信システムの要件を満たしにくい。
【発明の概要】
【発明が解決しようとする課題】
【０００８】
これを鑑みて、本発明の実施例はスケジューリング要求伝送制御方法及び関連製品を提供し、無線通信システムにおいてスケジューリング要求を伝送する柔軟性を向上させること、及び無線通信システムにおけるデータ伝送チャネルのリソーススケジューリング効率を向上させることを期待する。
【課題を解決するための手段】
【０００９】
第一の様態では、本発明の実施例に係るスケジューリング要求伝送制御方法であって、
端末がネットワーク側装置に指示する必要がある第一パラメータの参照情報を取得することであって、前記第一パラメータが前記端末の伝送対象のキャッシュデータに関連するパラメータであり、前記第一パラメータの参照情報はネットワーク側装置が認可リソースを決定することに用いられ、前記認可リソースが前記キャッシュデータを伝送することに用いられることと、
前記端末が予め設定された第一パラメータの情報と物理上り制御チャネル（ＰＵＣＣＨ）リソースの第二パラメータの情報との間のマッピング関係を問い合わせ、前記第一パラメータの参照情報に対応するＰＵＣＣＨリソースの第二パラメータの参照情報を取得することであって、前記第二パラメータが前記ＳＲを伝送するためのＰＵＣＣＨリソースに関連するパラメータであることと、
前記端末が前記第二パラメータの参照情報によって決定されるＰＵＣＣＨリソースにおいて前記キャッシュデータをスケジューリングするためのスケジューリング要求（ＳＲ）を伝送することと、含む。
【００１０】
分かるように、本発明の実施例では、端末は、先ずネットワーク側装置に指示する必要がある第一パラメータの参照情報を取得し、次に、予め設定された第一パラメータの情報と物理上り制御チャネル（ＰＵＣＣＨ）リソースの第二パラメータの情報との間のマッピング関係を問い合わせ、第一パラメータの参照情報に対応するＰＵＣＣＨリソースの第二パラメータの参照情報を取得し、最後に、第二パラメータの参照情報によって決定されるＰＵＣＣＨリソースにおいてキャッシュデータをスケジューリングするためのスケジューリング要求（ＳＲ）を伝送する。第一パラメータの情報と第二パラメータの情報との間にマッピング関係が存在するため、ＳＲを伝送することによりネットワーク側装置がＳＲを受信すると同時に第二パラメータの参照情報に対応する第一パラメータの参照情報を取得することができ、且つキャッシュデータを伝送するための認可リソースの構成情報をさらに知り、認可リソースの構成情報を伝送するためのさらなるシグナリングオーバーヘッドを必要とせず、それにより、無線通信システムにおいてスケジューリング要求を伝送する柔軟性を向上させること、及び無線通信システムにおけるデータ伝送チャネルのリソーススケジューリング効率を向上させることに有利である。
【００１１】
１つの可能な設計において、前記端末がネットワーク側装置に指示する必要がある第一パラメータの参照情報を取得する前、前記方法はさらに、前記端末が前記キャッシュデータを取得することを含む。
【００１２】
１つの可能な設計において、前記端末がネットワーク側装置に指示する必要がある第一パラメータの参照情報を取得することは、
前記端末が前記キャッシュデータを伝送する上り共有チャネル（ＵＬ−ＳＣＨ）リソースを取得していないことを検出した時、ネットワーク側装置に指示する必要がある第一パラメータの参照情報を取得することを含む。
【００１３】
分かるように、本設計において、具体的に、端末は現在の伝送時間間隔（ＴＴＩ）内において、キャッシュデータを伝送するためのＵＬ−ＳＣＨリソースを取得していないことを検出した時、ネットワーク側装置に指示する必要がある第一パラメータの参照情報を取得する。このように、端末はキャッシュデータの伝送リソーススケジューリング状況に基づき、キャッシュデータを伝送するための代替リソースの参照情報、すなわち第一パラメータの参照情報をリアルタイムで動的に構成することを実現し、その後、ＳＲ要求を伝送することにより該第一パラメータの参照情報をネットワーク側装置に同期に指示し、それにより、ネットワーク側装置が代替リソースの参照情報をタイムリーに取得でき、それによりキャッシュデータを伝送する認可リソースの構成情報を正確に決定し、無線通信システムのリソーススケジューリングの柔軟性及びリアルタイム性を向上させることに有利である。
【００１４】
１つの可能な設計において、前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含む。
【００１５】
１つの可能な設計において、前記端末の伝送対象のキャッシュデータに関連するパラメータが前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含む。
【００１６】
１つの可能な設計において、前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含む。
【００１７】
第二の様態では、本発明の実施例に係るスケジューリング要求伝送制御方法であって、
ネットワーク側装置が第二パラメータの参照情報によって決定される物理上り制御チャネル（ＰＵＣＣＨ）リソースにおいてキャッシュデータをスケジューリングするためのスケジューリング要求（ＳＲ）を受信することであって、前記第二パラメータが前記ＳＲを伝送するためのＰＵＣＣＨリソースに関連するパラメータであることと、
前記ネットワーク側装置が予め設定された第一パラメータの情報と物理上り制御チャネル（ＰＵＣＣＨ）リソースの第二パラメータの情報との間のマッピング関係を問い合わせ、前記第二パラメータの参照情報に対応する第一パラメータの参照情報を取得することであって、前記第一パラメータが端末の伝送対象のキャッシュデータに関連するパラメータであることと、
前記ネットワーク側装置が前記キャッシュデータを伝送するための認可リソースのリソーススケジューリング命令を送信することであって、前記リソーススケジューリング命令が前記第二パラメータの参照情報によって決定される認可リソースの指示情報を含むことと、含む。
【００１８】
分かるように、本発明の実施例では、ネットワーク側装置は、先ず第二パラメータの参照情報によって決定されるＰＵＣＣＨリソースにおいてキャッシュデータをスケジューリングするためのＳＲを受信し、次に、予め設定された第一パラメータの情報と物理上り制御チャネル（ＰＵＣＣＨ）リソースの第二パラメータの情報との間のマッピング関係を問い合わせ、第二パラメータの参照情報に対応する第一パラメータの参照情報を取得し、最後に、キャッシュデータを伝送するための認可リソースのリソーススケジューリング命令を送信する。第一パラメータの情報と第二パラメータの情報との間にマッピング関係が存在するため、ＳＲを伝送することによりネットワーク側装置がＳＲを受信すると同時に第二パラメータの参照情報に対応する第一パラメータの参照情報を取得することができ、且つキャッシュデータを伝送するための認可リソースの構成情報をさらに知り、認可リソースの構成情報を伝送するためのさらなるシグナリングオーバーヘッドを必要とせず、それにより無線通信システムにおいてスケジューリング要求を伝送する柔軟性を向上させること、及び無線通信システムにおけるデータ伝送チャネルのリソーススケジューリング効率を向上させることに有利である。
【００１９】
１つの可能な設計において、前記ネットワーク側装置が前記キャッシュデータを伝送するための認可リソースのリソーススケジューリング命令を送信した後、前記方法はさらに、
前記ネットワーク側装置が前記第二パラメータの参照情報によって決定される認可リソースにおいて前記キャッシュデータを受信することを含む。
【００２０】
１つの可能な設計において、前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含む。
【００２１】
１つの可能な設計において、前記端末の伝送対象のキャッシュデータに関連するパラメータが前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含む。
【００２２】
１つの可能な設計において、前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含む。
【００２３】
第三の様態では、本発明の実施例は端末を提供し、該端末が上記方法の設計における端末の動作を実現する機能を有する。前記機能はハードウェアにより実現でき、さらにハードウェアが対応するソフトウェアを実行することにより実現できる。前記ハードウェア又はソフトウェアが上記機能に対応する１つ又は複数のモジュールを含む。
【００２４】
１つの可能な設計において、端末がプロセッサを含み、前記プロセッサは端末が上記方法の対応する機能を実行することをサポートするように構成される。さらに、端末がさらに通信インタフェースを含んでもよく、前記通信インタフェースが端末とネットワーク側装置との間の通信をサポートすることに用いられる。さらに、ネットワーク側装置がメモリを含んでもよく、前記メモリがプロセッサと結合することに用いられ、それが端末に必要なプログラム命令及びデータを記憶する。
【００２５】
第四の様態では、本発明の実施例はネットワーク側装置を提供し、該ネットワーク側装置が上記方法設計におけるネットワーク装置の動作を実現する機能を有する。前記機能はハードウェアにより実現でき、さらにハードウェアが対応するソフトウェアを実行することにより実現できる。前記ハードウェア又はソフトウェアが上記機能に対応する１つ又は複数のモジュールを含む。
【００２６】
１つの可能な設計において、ネットワーク側装置がプロセッサを含み、前記プロセッサはネットワーク側装置が上記方法の対応する機能を実行することをサポートするように構成される。さらに、ネットワーク側装置が送受信機を含んでもよく、前記送受信機がネットワーク側装置と端末との間の通信をサポートすることに用いられる。さらに、ネットワーク側装置がメモリを含んでもよく、前記メモリがプロセッサと結合することに用いられ、それがネットワーク側装置に必要なプログラム命令及びデータを記憶する。
【００２７】
第五の様態では、本発明の実施例は端末を提供し、１つの又は複数のプロセッサ、メモリ、通信インタフェース及び１つの又は複数のプログラムを含み、前記１つの又は複数のプログラムが前記メモリに記憶され、且つ前記１つの又は複数のプロセッサで実行されるように構成され、前記プログラムが本発明の実施例の第二の様態のいずれか１つの方法におけるステップを実行するための命令を含む。
【００２８】
第六の様態では、本発明の実施例はネットワーク側装置を提供し、１つ又は複数のプロセッサ、メモリ、送受信機及び１つ又は複数のプログラムを含み、前記１つ又は複数のプログラムが前記メモリに記憶され、且つ前記１つの又は複数のプロセッサで実行されるように構成され、前記プログラムが本発明の実施例の第一の様態のいずれか１つの方法におけるステップを実行するための命令を含む。
【００２９】
第七の様態では、本発明の実施例はコンピュータ読み取り可能な記憶媒体を提供し、前記コンピュータ読み取り可能な記憶媒体が電子データ交換のためのコンピュータプログラムを記憶し、前記コンピュータプログラムがコンピュータに本発明の実施例の第二の様態のいずれか１つの方法に説明された一部又は全部のステップを実行させる。
【００３０】
第八の様態では、本発明の実施例はコンピュータ読み取り可能な記憶媒体を提供し、前記コンピュータ読み取り可能な記憶媒体が電子データ交換のためのコンピュータプログラムを記憶し、前記コンピュータプログラムがコンピュータに本発明の実施例の第一の様態のいずれか１つの方法に説明された一部又は全部のステップを実行させる。
【００３１】
第九の様態では、本発明の実施例はコンピュータプログラム製品を提供し、前記コンピュータプログラム製品がコンピュータプログラムを記憶する不揮発性コンピュータ読み取り可能な記憶媒体を含み、前記コンピュータプログラムが操作可能であり、コンピュータに本発明の実施例の第一の様態のいずれか１つの方法に説明された一部又は全部のステップを実行させる。該コンピュータプログラム製品が１つのソフトウェアインストールパッケージであってもよい。
【００３２】
第十の様態では、本発明の実施例はコンピュータプログラム製品を提供し、前記コンピュータプログラム製品がコンピュータプログラムを記憶する不揮発性コンピュータ読み取り可能な記憶媒体を含み、前記コンピュータプログラムが操作可能であり、コンピュータが本発明の実施例の第一の様態のいずれか１つの方法に説明された一部又は全部のステップを実行させる。該コンピュータプログラム製品が１つのソフトウェアインストールパッケージであってもよい。
【発明の効果】
【００３３】
以上から分かるように、本発明の実施例では、端末は、先ずネットワーク側装置に指示する必要がある第一パラメータの参照情報を取得し、次に、予め設定された第一パラメータの情報と物理上り制御チャネル（ＰＵＣＣＨ）リソースの第二パラメータの情報との間のマッピング関係を問い合わせ、第一パラメータの参照情報に対応するＰＵＣＣＨリソースの第二パラメータの参照情報を取得し、最後に、第二パラメータの参照情報によって決定されるＰＵＣＣＨリソースにおいてキャッシュデータをスケジューリングするためのスケジューリング要求（ＳＲ）を伝送する。第一パラメータの情報と第二パラメータの情報との間にマッピング関係が存在するため、ＳＲを伝送することによりネットワーク側装置がＳＲを受信すると同時に第二パラメータの参照情報に対応する第一パラメータの参照情報を取得することができ、且つキャッシュデータを伝送するための認可リソースの構成情報をさらに知り、認可リソースの構成情報を伝送するためのさらなるシグナリングオーバーヘッドを必要とせず、それにより無線通信システムにおいてスケジューリング要求を伝送する柔軟性を向上させること、及び無線通信システムにおけるデータ伝送チャネルのリソーススケジューリング効率を向上させることに有利である。
【図面の簡単な説明】
【００３４】
【図１】図１は本発明の実施例に係る通信システムを例示するネットワークチャートである。
【図２】図２は本発明の実施例に係る別のスケジューリング要求伝送制御方法の通信模式図である
【図３Ａ】図３Ａは本発明の実施例に係る５Ｇ  ＮＲシーンにおけるスケジューリング要求伝送制御方法の模式図である。
【図３Ｂ】図３Ｂは本発明の実施例に係る別の５Ｇ  ＮＲシーンにおけるスケジューリング要求伝送制御方法の模式図である。
【図３Ｃ】図３Ｃは本発明の実施例に係る別の５Ｇ  ＮＲシーンにおけるスケジューリング要求伝送制御方法の模式図である。
【図３Ｄ】図３Ｄは本発明の実施例に係る別の５Ｇ  ＮＲシーンにおけるスケジューリング要求伝送制御方法の模式図である。
【図３Ｅ】図３Ｅは本発明の実施例に係る別の５Ｇ  ＮＲシーンにおけるスケジューリング要求伝送制御方法の模式図である。
【図３Ｆ】図３Ｆは本発明の実施例に係る別の５Ｇ  ＮＲシーンにおけるスケジューリング要求伝送制御方法の模式図である。
【図４】図４は本発明の実施例に係る端末の構造模式図である。
【図５】図５は本発明の実施例に係るネットワーク側装置の構造模式図である。
【図６】図６は本発明の実施例に係る端末の機能ユニットからなるブロック図である。
【図７】図７は本発明の実施例に係るネットワーク側装置の機能ユニットからなるブロック図である。
【図８】図８は本発明の実施例に係る別の端末の構造模式図である。
【発明を実施するための形態】
【００３５】
以下では実施例又は従来技術の説明に必要な図面を簡単に紹介する．
以下では図面を参照しながら本発明の実施例における技術案を説明する。
【００３６】
図１に示されるように、図１は本発明の実施例に係る通信システムを例示する可能なネットワーク構造である。該例示通信システムは４Ｇ  ＬＴＥ通信システム又は５Ｇ  ＮＲ通信システムであってもよく、具体的にネットワーク側装置及び端末を含み、端末はネットワーク側装置が提供した移動通信ネットワークにアクセスする時、端末とネットワーク側装置との間が無線リンク通信により接続でき、該通信接続方式はシングル接続方式又はダブル接続方式又はマルチ接続方式であってもよいが、通信接続方式がシングル接続方式である時、ネットワーク側装置がＬＴＥ基地局又はＮＲ基地局（またｇＮＢ基地局と呼称される）であってもよく、通信方式がダブル接続方式である時（具体的にキャリアアグリゲーションＣＡ技術により実現でき、又は複数のネットワーク側装置により実現できる）、且つ端末が複数のネットワーク側装置に接続される時、該複数のネットワーク側装置がメイン基地局ＭＣＧ及びサブ基地局ＳＣＧであってもよく、基地局の間がバックホールリンクｂａｃｋｈａｕｌによりデータ返送を行い、メイン基地局がＬＴＥ基地局であってもよく、サブ基地局がＬＴＥ基地局であってもよく、又は、メイン基地局がＮＲ基地局であってもよく、サブ基地局がＬＴＥ基地局であってもよく、又は、メイン基地局がＮＲ基地局であってもよく、サブ基地局がＮＲ基地局であってもよい。
【００３７】
本発明の実施例では、「ネットワーク」と「システム」という言葉をよく交互に使用し、当業者はその意味を理解できる。本発明の実施例に関する端末は無線通信機能を有する各種の携帯装置、車載装置、ウェアラブル装置、計算装置又は無線モデムに接続される他の処理装置、及び各種の形式のユーザー装置（Ｕｓｅｒ  Ｅｑｕｉｐｍｅｎｔ：ＵＥ）、移動局（Ｍｏｂｉｌｅ  Ｓｔａｔｉｏｎ：ＭＳ）、端末装置（ｔｅｒｍｉｎａｌ  ｄｅｖｉｃｅ）等を含んでもよい。説明の便宜上、上記の装置を端末と総称される。
【００３８】
図２に示されるように、図２は本発明の実施例に係るスケジューリング要求伝送制御方法であり、該方法は、以下を含む。
【００３９】
２０１部分では、端末がネットワーク側装置に指示する必要がある第一パラメータの参照情報を取得し、前記第一パラメータが前記端末の伝送対象のキャッシュデータに関連するパラメータであり、前記第一パラメータの参照情報はネットワーク側装置が認可リソースを決定することに用いられ、前記認可リソースが前記キャッシュデータを伝送することに用いられる。
【００４０】
２０２部分では、前記端末が予め設定された第一パラメータの情報と物理上り制御チャネル（ＰＵＣＣＨ）リソースの第二パラメータの情報との間のマッピング関係を問い合わせ、前記第一パラメータの参照情報に対応するＰＵＣＣＨリソースの第二パラメータの参照情報を取得し、前記第二パラメータが前記ＳＲを伝送するためのＰＵＣＣＨリソースに関連するパラメータである。
【００４１】
２０３部分では、前記端末が前記第二パラメータの参照情報によって決定されるＰＵＣＣＨリソースにおいて前記キャッシュデータをスケジューリングするためのスケジューリング要求（ＳＲ）を伝送する。
【００４２】
２０４部分では、前記ネットワーク側装置が第二パラメータの参照情報によって決定される物理上り制御チャネル（ＰＵＣＣＨ）リソースにおいてキャッシュデータをスケジューリングするためのスケジューリング要求（ＳＲ）を受信し、前記第二パラメータが前記ＳＲを伝送するためのＰＵＣＣＨリソースに関連するパラメータである。
【００４３】
２０５部分では、前記ネットワーク側装置が予め設定された第一パラメータの情報と物理上り制御チャネル（ＰＵＣＣＨ）リソースの第二パラメータの情報との間のマッピング関係を問い合わせ、前記第二パラメータの参照情報に対応する第一パラメータの参照情報を取得し、前記第一パラメータが端末の伝送対象のキャッシュデータに関連するパラメータである。
【００４４】
２０６部分では、前記ネットワーク側装置が前記キャッシュデータを伝送するための認可リソースのリソーススケジューリング命令を送信し、前記リソーススケジューリング命令が前記第二パラメータの参照情報によって決定される認可リソースの指示情報を含む。
【００４５】
分かるように、本発明の実施例では、端末は、先ずネットワーク側装置に指示する必要がある第一パラメータの参照情報を取得し、次に、予め設定された第一パラメータの情報と物理上り制御チャネル（ＰＵＣＣＨ）リソースの第二パラメータの情報との間のマッピング関係を問い合わせ、第一パラメータの参照情報に対応するＰＵＣＣＨリソースの第二パラメータの参照情報を取得し、最後に、第二パラメータの参照情報によって決定されるＰＵＣＣＨリソースにおいてキャッシュデータをスケジューリングするためのスケジューリング要求（ＳＲ）を伝送する。ネットワーク側装置は、先ず第二パラメータの参照情報によって決定されるＰＵＣＣＨリソースにおいてキャッシュデータをスケジューリングするためのＳＲを受信し、次に、予め設定された第一パラメータの情報と物理上り制御チャネル（ＰＵＣＣＨ）リソースの第二パラメータの情報との間のマッピング関係を問い合わせ、第二パラメータの参照情報に対応する第一パラメータの参照情報を取得し、最後に、キャッシュデータを伝送するための認可リソースのリソーススケジューリング命令を送信する。第一パラメータの情報と第二パラメータの情報との間にマッピング関係が存在するため、ＳＲを伝送することによりネットワーク側装置がＳＲを受信すると同時に第二パラメータの参照情報に対応する第一パラメータの参照情報を取得することができ、且つキャッシュデータを伝送するための認可リソースの構成情報をさらに知り、認可リソースの構成情報を伝送するためのさらなるシグナリングオーバーヘッドを必要とせず、それにより無線通信システムにおいてスケジューリング要求を伝送する柔軟性を向上させること、及び無線通信システムにおけるデータ伝送チャネルのリソーススケジューリング効率を向上させることに有利である。
【００４６】
１つの可能な例示では、前記端末がネットワーク側装置に指示する必要がある第一パラメータの参照情報を取得する前、前記方法はさらに、
前記端末が前記キャッシュデータを取得することを含む。
【００４７】
１つの可能な例示では、前記端末がネットワーク側装置に指示する必要がある第一パラメータの参照情報を取得することは、
前記端末が前記キャッシュデータを伝送する上り共有チャネル（ＵＬ−ＳＣＨ）リソースを取得していないことを検出した時、ネットワーク側装置に指示する必要がある第一パラメータの参照情報を取得することを含む。
【００４８】
分かるように、本例示では、具体的に、端末は現在の伝送時間間隔（ＴＴＩ）内において、キャッシュデータを伝送するためのＵＬ−ＳＣＨリソースを取得していないことを検出した時、ネットワーク側装置に指示する必要がある第一パラメータの参照情報を取得する。このように、端末はキャッシュデータの伝送リソーススケジューリング状況に基づき、キャッシュデータを伝送するための代替リソースの参照情報すなわち第一パラメータの参照情報をリアルタイムで動的に構成することを実現し、その後、ＳＲ要求を伝送することにより該第一パラメータの参照情報をネットワーク側装置に同期に指示し、それにより、ネットワーク側装置が代替リソースの参照情報をタイムリーに取得でき、それによりキャッシュデータを伝送する認可リソースの構成情報を正確に決定し、無線通信システムのリソーススケジューリングの柔軟性及びリアルタイム性を向上させることに有利である。
【００４９】
１つの可能な例示では、前記端末が前記第二パラメータの参照情報によって決定されるＰＵＣＣＨリソースにおいて前記キャッシュデータをスケジューリングするためのスケジューリング要求（ＳＲ）を伝送した後、前記方法はさらに、前記端末が前記第二パラメータの参照情報によって決定される認可リソースにおいて前記キャッシュデータを受信することを含む。
【００５０】
前記ネットワーク側装置が前記キャッシュデータを伝送するための認可リソースのリソーススケジューリング命令を送信した後、前記方法はさらに、前記ネットワーク側装置が前記第二パラメータの参照情報によって決定される認可リソースにおいて前記キャッシュデータを受信することを含む。
【００５１】
１つの可能な例示では、前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含む。
【００５２】
１つの可能な例示では、前記した前記端末の伝送対象のキャッシュデータに関連するパラメータが前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含む。
【００５３】
１つの可能な例示では、前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含む。
【００５４】
以下では具体的な応用シーンを参照しながら、本発明の実施例を具体的に説明する。
【００５５】
図３Ａに示されるように、ネットワーク側装置が５Ｇ  ＮＲにおける基地局ｇＮＢであり、端末が５Ｇ  ＮＲにおけるユーザー装置であり、端末が取得したキャッシュデータはユーザー装置においてＲＬＣ層にキャッシュされる第一データであり、前記第一データに対するＳＲを伝送するためのＰＵＣＣＨリソースがｓｈｏｒｔ−ｄｕｒａｔｉｏｎのＰＵＣＣＨリソースであり、ＰＵＣＣＨリソースの第二パラメータがＰＵＣＣＨリソースのリソースブロック識別子であり、第二パラメータの情報が具体的にＳｈｏｒｔ−ｄｕｒａｔｉｏｎ  ＰＵＣＣＨ  Ａ１及びＳｈｏｒｔ−ｄｕｒａｔｉｏｎ  ＰＵＣＣＨ  Ａ２を含み、第一データの第一パラメータが物理層パラメータｎｕｍｅｒｏｌｏｇｙであり、第一パラメータの情報が具体的に１５ＫＨｚ及び３０ＫＨｚを含み、且つユーザー装置がプロトコルスタック上位層エンティティにより予め構成された第一パラメータの情報と第二パラメータの情報との間のマッピング関係は表２に示される。
【００５６】
2020519125.tif 000005
ユーザー装置が第一データの物理層パラメータｎｕｍｅｒｏｌｏｇｙの情報を１５ＫＨｚと決定すると、ユーザー装置がＳｈｏｒｔ−ｄｕｒａｔｉｏｎ  ＰＵＣＣＨ  Ａ１を選択し、且つＳｈｏｒｔ−ｄｕｒａｔｉｏｎ  ＰＵＣＣＨ  Ａ１によって決定されるＰＵＣＣＨリソースにおいて前記第一データをスケジューリングするためのＳＲを伝送し、ｇＮＢがＳＲを受信し、上記マッピング関係を問い合わせ、取得されたＳｈｏｒｔ−ｄｕｒａｔｉｏｎ  ＰＵＣＣＨ  Ａ１に対応する物理層パラメータｎｕｍｅｒｏｌｏｇｙが１５ＫＨｚであり、該取得された物理層パラメータｎｕｍｅｒｏｌｏｇｙ１５ＫＨｚに基づいて第一認可リソースを決定し、且つユーザー装置に第一認可リソースの指示情報を含む第一リソーススケジューリング命令を送信する。
【００５７】
図３Ｂに示されるように、ネットワーク側装置が５Ｇ  ＮＲにおける基地局ｇＮＢであり、端末が５Ｇ  ＮＲにおけるユーザー装置であり、端末が取得したキャッシュデータはユーザー装置においてＰＤＣＰ層にキャッシュされる第二データであり、前記第二データに対するＳＲを伝送するためのＰＵＣＣＨリソースがＬｏｎｇ−ｄｕｒａｔｉｏｎのＰＵＣＣＨリソースであり、ＰＵＣＣＨリソースの第二パラメータがＰＵＣＣＨリソースのリソースブロック識別子であり、第二パラメータの情報が具体的にＬｏｎｇ−ｄｕｒａｔｉｏｎ  ＰＵＣＣＨ  Ｂ１及びＬｏｎｇ−ｄｕｒａｔｉｏｎ  ＰＵＣＣＨ  Ｂ２を含み、第二データの第一パラメータが伝送時間間隔周期（ＴＴＩ  ｄｕｒａｔｉｏｎ）であり、第一パラメータの情報が具体的に０．２５ミリ秒ｍｓ及び０．５ｍｓを含み、且つユーザー装置がプロトコルスタック上位層エンティティを介して予め構成された第一パラメータの情報と第二パラメータの情報との間のマッピング関係は表２に示される。
【００５８】
2020519125.tif 000006
ユーザー装置が第二データの伝送時間間隔周期（ＴＴＩ  ｄｕｒａｔｉｏｎ）の情報を０．２５ｍｓと決定し、ユーザー装置が対応するＬｏｎｇ−ｄｕｒａｔｉｏｎ  ＰＵＣＣＨ  ａ１を取得し、且つＬｏｎｇ−ｄｕｒａｔｉｏｎ  ＰＵＣＣＨ  ａ１によって決定されるＰＵＣＣＨリソースにおいて前記第二データをスケジューリングするためのＳＲを伝送し、ｇＮＢがＳＲを受信し、上記マッピング関係を問い合わせ、取得されたＬｏｎｇ−ｄｕｒａｔｉｏｎ  ＰＵＣＣＨ  ａ１に対応する伝送時間間隔周期（ＴＴＩ  ｄｕｒａｔｉｏｎ）が０．２５ｍｓであり、該取得された伝送時間間隔の０．２５ｍｓに基づいて第二認可リソースを決定し、且つユーザー装置に第二認可リソースの指示情報を含む第二リソーススケジューリング命令を送信する。
【００５９】
図３Ｃに示されるように、ネットワーク側装置が５Ｇ  ＮＲにおける基地局ｇＮＢであり、端末が５Ｇ  ＮＲにおけるユーザー装置であり、端末が取得したキャッシュデータはユーザー装置においてＲＬＣ層にキャッシュされるデータとＰＤＣＰ層にキャッシュされるデータの集合（第三データと呼称される）であり、前記第三データに対するＳＲを伝送するためのＰＵＣＣＨリソースがＳｈｏｒｔ−ｄｕｒａｔｉｏｎのＰＵＣＣＨリソースであり、ＰＵＣＣＨリソースの第二パラメータがＰＵＣＣＨリソースのリソースブロック識別子であり、第二パラメータの情報が具体的にＳｈｏｒｔ−ｄｕｒａｔｉｏｎ  ＰＵＣＣＨ  Ｃ１、Ｓｈｏｒｔ−ｄｕｒａｔｉｏｎ  ＰＵＣＣＨ  Ｃ２、Ｓｈｏｒｔ−ｄｕｒａｔｉｏｎ  ＰＵＣＣＨ  Ｃ３を含み、第三データの第一パラメータがキャッシュデータのデータ量、第一パラメータの情報が具体的に低レベル、中レベル、高レベルの３つの異なるレベルを含み、且つユーザー装置がプロトコルスタック上位層エンティティにより予め構成された第一パラメータの情報と第二パラメータの情報との間のマッピング関係は表３に示される。
【００６０】
2020519125.tif 000007
ユーザー装置が第三データのデータ量を中レベルと決定すると、ユーザー装置が対応するＳｈｏｒｔ−ｄｕｒａｔｉｏｎ  ＰＵＣＣＨ  Ｃ２を取得し、且つＳｈｏｒｔ−ｄｕｒａｔｉｏｎ  ＰＵＣＣＨ  Ｃ２によって決定されるＰＵＣＣＨリソースにおいて前記第三データをスケジューリングするためのＳＲを伝送し、ｇＮＢがＳＲを受信し、上記マッピング関係を問い合わせ、取得されたＳｈｏｒｔ−ｄｕｒａｔｉｏｎ  ＰＵＣＣＨ  Ｃ２に対応するキャッシュデータのデータ量が中レベルであり、該取得された中レベルキャッシュデータのデータ量に基づいて第三認可リソースを決定し、且つユーザー装置に第三認可リソースの指示情報を含む第三リソーススケジューリング命令を送信する。
【００６１】
図３Ｄに示されるように、ネットワーク側装置が５Ｇ  ＮＲにおける基地局ｇＮＢであり、端末が５Ｇ  ＮＲにおけるユーザー装置であり、端末が取得したキャッシュデータはユーザー装置においてＰＤＣＰ層にキャッシュされる第四データであり、前記第四データに対するＳＲを伝送するためのＰＵＣＣＨリソースがＬｏｎｇ−ｄｕｒａｔｉｏｎのＰＵＣＣＨリソースであり、ＰＵＣＣＨリソースの第二パラメータがＰＵＣＣＨリソースにおいてＳＲを繰り返し伝送する回数であり、第二パラメータの情報が具体的にＳｉｎｇｌｅ  ＳＲ（１回）及びＴｗｏ  ＳＲｓ（２回）を含み、第四データの第一パラメータが伝送時間間隔周期（ＴＴＩ  ｄｕｒａｔｉｏｎ）であり、第一パラメータの情報が具体的に０．２５ｍｓ及び０．１２５ｍｓを含み、且つユーザー装置がプロトコルスタック上位層エンティティを介して予め構成された第一パラメータの情報と第二パラメータの情報との間のマッピング関係が表４に示される。
【００６２】
2020519125.tif 000008
ユーザー装置が第四データの伝送時間間隔周期（ＴＴＩ  ｄｕｒａｔｉｏｎ）の情報を０．１２５ｍｓと決定すると、ユーザー装置が対応するＴｗｏ  ＳＲｓを取得し、且つＴｗｏ  ＳＲｓによって決定されるＰＵＣＣＨリソースにおいて前記第四データをスケジューリングするための２つのＳＲｓを伝送し、ｇＮＢが２つのＳＲｓを受信し、上記マッピング関係を問い合わせ、取得されたＴｗｏ  ＳＲｓに対応する伝送時間間隔周期（ＴＴＩ  ｄｕｒａｔｉｏｎ）が０．１２５ｍｓであり、該取得された伝送時間間隔の０．１２５ｍｓに基づいて第四認可リソースを決定し、且つユーザー装置に第四認可リソースの指示情報を含む第四リソーススケジューリング命令を送信する。
【００６３】
図３Ｅに示されるように、ネットワーク側装置が５Ｇ  ＮＲにおける基地局ｇＮＢであり、端末が５Ｇ  ＮＲにおけるユーザー装置であり、端末が取得したキャッシュデータはユーザー装置においてＰＤＣＰ層にキャッシュされる第五データであり、前記第五データに対するＳＲを伝送するためのＰＵＣＣＨリソースがＬｏｎｇ−ｄｕｒａｔｉｏｎのＰＵＣＣＨリソース又はＳｈｏｒｔ−ｄｕｒａｔｉｏｎ  ＰＵＣＣＨリソースであり、ＰＵＣＣＨリソースの第二パラメータがＰＵＣＣＨリソースタイプ、ＳＲのビットの位数及びベアラ情報であり、第二パラメータの情報が具体的にＬｏｎｇ−ｄｕｒａｔｉｏｎ  ＰＵＣＣＨ（２ｂｉｔｓ，００）、Ｌｏｎｇ−ｄｕｒａｔｉｏｎ  ＰＵＣＣＨ（２ｂｉｔｓ，０１）、Ｌｏｎｇ−ｄｕｒａｔｉｏｎ  ＰＵＣＣＨ（２ｂｉｔｓ，１０）、Ｌｏｎｇ−ｄｕｒａｔｉｏｎ  ＰＵＣＣＨ（２ｂｉｔｓ，１１）、Ｓｈｏｒｔ−ｄｕｒａｔｉｏｎ  ＰＵＣＣＨ（１ｂｉｔｓ，０／１）を含み、第五データの第一パラメータが伝送時間間隔周期（ＴＴＩ  ｄｕｒａｔｉｏｎ）であり、第一パラメータの情報が具体的に０．２５ｍｓ低レベル、０．２５ｍｓ高レベル、０．５ｍｓ低レベル、０．５ｍｓ高レベル及び１  ｍｓを含み、且つユーザー装置がプロトコルスタック上位層エンティティを介して予め構成された第一パラメータの情報と第二パラメータの情報との間のマッピング関係は表５に示される。
【００６４】
2020519125.tif 000009
ユーザー装置が第五データの伝送時間間隔周期（ＴＴＩ  ｄｕｒａｔｉｏｎ）の情報を０．２５ｍｓ低レベルと決定すると、ユーザー装置が対応するＬｏｎｇ−ｄｕｒａｔｉｏｎ  ＰＵＣＣＨ（２ｂｉｔｓ，００）を取得し、且つＬｏｎｇ−ｄｕｒａｔｉｏｎ  ＰＵＣＣＨ（２ｂｉｔｓ，００）によって決定されるＰＵＣＣＨリソースにおいて前記第五データをスケジューリングするためのＳＲを伝送し、ｇＮＢがＳＲを受信し、上記マッピング関係を問い合わせ、取得されたＬｏｎｇ−ｄｕｒａｔｉｏｎ  ＰＵＣＣＨ（２ｂｉｔｓ，００）に対応する伝送時間間隔周期（ＴＴＩ  ｄｕｒａｔｉｏｎ）が０．２５ｍｓ低レベルであり、該取得された伝送時間間隔の０．２５ｍｓ低レベルに基づいて第五認可リソースを決定し、且つユーザー装置に第五認可リソースの指示情報を含む第五リソーススケジューリング命令を送信する。
【００６５】
図３Ｆに示されるように、ネットワーク側装置が５Ｇ  ＮＲにおける基地局ｇＮＢであり、端末が５Ｇ  ＮＲにおけるユーザー装置であり、端末が取得したキャッシュデータはユーザー装置においてＰＤＣＰ層にキャッシュされた第六データであり、前記第六データに対するＳＲを伝送するためのＰＵＣＣＨリソースがＬｏｎｇ−ｄｕｒａｔｉｏｎのＰＵＣＣＨリソース又はＳｈｏｒｔ−ｄｕｒａｔｉｏｎ  ＰＵＣＣＨリソースであり、ＰＵＣＣＨリソースの第二パラメータがＰＵＣＣＨリソースタイプ、ＳＲのビットの位数及びベアラ情報であり、第二パラメータの情報が具体的にＬｏｎｇ−ｄｕｒａｔｉｏｎ  ＰＵＣＣＨ（２ｂｉｔｓ，００）、Ｌｏｎｇ−ｄｕｒａｔｉｏｎ  ＰＵＣＣＨ（２ｂｉｔｓ，０１）、Ｌｏｎｇ−ｄｕｒａｔｉｏｎ  ＰＵＣＣＨ（２ｂｉｔｓ，１０）、Ｌｏｎｇ−ｄｕｒａｔｉｏｎ  ＰＵＣＣＨ（２ｂｉｔｓ，１１）、Ｓｈｏｒｔ−ｄｕｒａｔｉｏｎ  ＰＵＣＣＨ（２ｂｉｔｓ，００）、Ｓｈｏｒｔ−ｄｕｒａｔｉｏｎ  ＰＵＣＣＨ（２ｂｉｔｓ，０１）、Ｓｈｏｒｔ−ｄｕｒａｔｉｏｎ  ＰＵＣＣＨ（２ｂｉｔｓ，１０）、Ｓｈｏｒｔ−ｄｕｒａｔｉｏｎ  ＰＵＣＣＨ（２ｂｉｔｓ，１１）を含み、第六データの第一パラメータが伝送時間間隔周期（ＴＴＩ  ｄｕｒａｔｉｏｎ）であり、第一パラメータの情報が具体的に０．１２５ｍｓ低レベル、０．１２５ｍｓ高レベル、０．２５ｍｓ低レベル、０．２５ｍｓ高レベル及び０．５ｍｓ低レベル、０．５ｍｓ高レベル、１ｍｓ低レベル、１ｍｓ高レベルを含み、且つユーザー装置がプロトコルスタック上位層エンティティを介して予め構成された第一パラメータの情報と第二パラメータの情報との間のマッピング関係が表６に示される。
【００６６】
2020519125.tif 000010
ユーザー装置が第六データの伝送時間間隔周期（ＴＴＩ  ｄｕｒａｔｉｏｎ）の情報を０．５ｍｓ低レベルと決定すると、ユーザー装置が対応するＳｈｏｒｔ−ｄｕｒａｔｉｏｎ  ＰＵＣＣＨ（２ｂｉｔｓ，００）を取得し、且つＳｈｏｒｔ−ｄｕｒａｔｉｏｎ  ＰＵＣＣＨ（２ｂｉｔｓ，００）によって決定されるＰＵＣＣＨリソースにおいて前記第六データをスケジューリングするためのＳＲを伝送し、ｇＮＢがＳＲを受信し、上記マッピング関係を問い合わせ、取得されたＳｈｏｒｔ−ｄｕｒａｔｉｏｎ  ＰＵＣＣＨ（２ｂｉｔｓ，００）に対応される伝送時間間隔周期（ＴＴＩ  ｄｕｒａｔｉｏｎ）が０．５ｍｓ低レベルであり、該取得された伝送時間間隔の０．５ｍｓ低レベルに基づいて第六認可リソースを決定し、且つユーザー装置に第六認可リソースの指示情報を含む第六リソーススケジューリング命令を送信する。
【００６７】
上記図２に示される実施例と一致し、図４に示されるように、図４は本発明の実施例に係る端末の構造模式図であり、図に示されるように、該端末が１つの又は複数のプロセッサ、メモリ、通信インタフェース及び１つの又は複数のプログラムを含み、前記１つの又は複数のプログラムが前記メモリに記憶され、且つ前記１つの又は複数のプロセッサで実行されるように構成され、前記プログラムは、
ネットワーク側装置に指示する必要がある第一パラメータの参照情報を取得するステップであって、前記第一パラメータが前記端末の伝送対象のキャッシュデータに関連するパラメータであり、前記第一パラメータの参照情報はネットワーク側装置が認可リソースを決定することに用いられ、前記認可リソースが前記キャッシュデータを伝送することに用いられるステップと、
予め設定された第一パラメータの情報と物理上り制御チャネル（ＰＵＣＣＨ）リソースの第二パラメータの情報との間のマッピング関係を問い合わせ、前記第一パラメータの参照情報に対応するＰＵＣＣＨリソースの第二パラメータの参照情報を取得するステップであって、前記第二パラメータが前記ＳＲを伝送するためのＰＵＣＣＨリソースに関連するパラメータであるステップと、
前記第二パラメータの参照情報によって決定されるＰＵＣＣＨリソースにおいて前記キャッシュデータをスケジューリングするためのスケジューリング要求（ＳＲ）を伝送するステップと、を実行するための命令を含む。
【００６８】
分かるように、本発明の実施例では、端末は、先ずネットワーク側装置に指示する必要がある第一パラメータの参照情報を取得し、次に、予め設定された第一パラメータの情報と物理上り制御チャネル（ＰＵＣＣＨ）リソースの第二パラメータの情報との間のマッピング関係を問い合わせ、第一パラメータの参照情報に対応するＰＵＣＣＨリソースの第二パラメータの参照情報を取得し、最後に、第二パラメータの参照情報によって決定されるＰＵＣＣＨリソースにおいてキャッシュデータをスケジューリングするためのスケジューリング要求（ＳＲ）を伝送する。第一パラメータの情報と第二パラメータの情報との間にマッピング関係が存在するため、ＳＲを伝送することによりネットワーク側装置がＳＲを受信すると同時に第二パラメータの参照情報に対応する第一パラメータの参照情報を取得することができ、且つキャッシュデータを伝送するための認可リソースの構成情報をさらに知り、認可リソースの構成情報を伝送するためのさらなるシグナリングオーバーヘッドを必要とせず、それにより無線通信システムにおいてスケジューリング要求を伝送する柔軟性を向上させること、及び無線通信システムにおけるデータ伝送チャネルのリソーススケジューリング効率を向上させることに有利である。
【００６９】
１つの可能な例示では、前記プログラムはさらに、ネットワーク側装置に指示する必要がある第一パラメータの参照情報を取得する前、前記キャッシュデータを取得するというステップを実行するための命令を含む。
【００７０】
１つの可能な例示では、前記したネットワーク側装置に指示する必要がある第一パラメータの参照情報を取得する方面では、前記プログラムにおける命令は、具体的に、前記キャッシュデータを伝送する上り共有チャネル（ＵＬ−ＳＣＨ）リソースを取得していないことを検出した時、ネットワーク側装置に指示する必要がある第一パラメータの参照情報を取得するというステップを実行することに用いられる。
【００７１】
１つの可能な例示では、前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含む。
【００７２】
１つの可能な例示では、前記した前記端末の伝送対象のキャッシュデータに関連するパラメータが前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含む。
【００７３】
１つの可能な例示では、前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含む。
【００７４】
上記図２に示される実施例と一致し、図５に示されるように、図５は本発明の実施例に係るネットワーク側装置の構造模式図であり、図に示されるように、該ネットワーク側装置が１つの又は複数のプロセッサ、メモリ、送受信機及び１つ又は複数のプログラムを含み、前記１つ又は複数のプログラムが前記メモリに記憶され、且つ前記１つの又は複数のプロセッサで実行されるように構成され、前記プログラムは、
第二パラメータの参照情報によって決定される物理上り制御チャネル（ＰＵＣＣＨ）リソースにおいてキャッシュデータをスケジューリングするためのスケジューリング要求（ＳＲ）を受信するステップであって、前記第二パラメータが前記ＳＲを伝送するためのＰＵＣＣＨリソースに関連するパラメータであるステップと、
予め設定された第一パラメータの情報と物理上り制御チャネル（ＰＵＣＣＨ）リソースの第二パラメータの情報との間のマッピング関係を問い合わせ、前記第二パラメータの参照情報に対応する第一パラメータの参照情報を取得するステップであって、前記第一パラメータが端末の伝送対象のキャッシュデータに関連するパラメータであるステップと、
前記キャッシュデータを伝送するための認可リソースのリソーススケジューリング命令を送信するステップであって、前記リソーススケジューリング命令が前記第二パラメータの参照情報によって決定される認可リソースの指示情報を含むステップと、を実行するための命令を含む。
【００７５】
分かるように、本発明の実施例では、ネットワーク側装置は、先ず第二パラメータの参照情報によって決定されるＰＵＣＣＨリソースにおいてキャッシュデータをスケジューリングするためのＳＲを受信し、次に、予め設定された第一パラメータの情報と物理上り制御チャネル（ＰＵＣＣＨ）リソースの第二パラメータの情報との間のマッピング関係を問い合わせ、第二パラメータの参照情報に対応する第一パラメータの参照情報を取得し、最後に、キャッシュデータを伝送するための認可リソースのリソーススケジューリング命令を送信する。第一パラメータの情報と第二パラメータの情報との間にマッピング関係が存在するため、ＳＲを伝送することによりネットワーク側装置がＳＲを受信すると同時に第二パラメータの参照情報に対応する第一パラメータの参照情報を取得することができ、且つキャッシュデータを伝送するための認可リソースの構成情報をさらに知り、認可リソースの構成情報を伝送するためのさらなるシグナリングオーバーヘッドを必要とせず、それにより無線通信システムにおいてスケジューリング要求を伝送する柔軟性を向上させること、及び無線通信システムにおけるデータ伝送チャネルのリソーススケジューリング効率を向上させることに有利である。
【００７６】
１つの可能な例示では、前記プログラムは、さらに、前記キャッシュデータを伝送するための認可リソースのリソーススケジューリング命令を送信した後、前記第二パラメータの参照情報によって決定される認可リソースにおいて前記キャッシュデータを受信するというステップを実行するための命令を含む。
【００７７】
１つの可能な例示では、前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含む。
【００７８】
１つの可能な例示では、前記した前記端末の伝送対象のキャッシュデータに関連するパラメータが前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含む。
【００７９】
１つの可能な例示では、前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含む。
【００８０】
以上の説明は主に各ネットワークエレメントの間が相互作用する角度から本発明の実施例の形態を説明した。理解できるように、端末及びネットワーク側装置は上記機能を実現するために、それが各機能を実行することに対応するハードウェア構造及び／又はソフトウェアモジュールを含む。本文では開示されている実施例が説明した各例示のユニット及びアルゴリズムステップと合わせ、本発明はハードウェア又はハードウェアとコンピュータソフトウェアの組み合わせ形式で実現できることは、当業者にとって容易に想到される。ある機能は一体ハードウェアで実行されるか、又はコンピュータソフトウェアがハードウェアを駆動する方式で実行されるかについては、技術案の特定のアプリケーション及び設計制約条件によって決められる。専門技術者は特定のアプリケーション毎に異なる方法を用いて説明された機能を実現できるが、この実現が本発明の範囲を超えると考えるべきではない。
【００８１】
本発明の実施例は上記方法の例示に基づいて端末及びネットワーク側装置に対して機能ユニット区分を行ってもよく、たとえば、各機能に応じて各機能ユニットを区分してもよく、さらに２つ又は２つ以上の機能を１つの処理ユニットに集積してもよい。上記集積されたユニットはハードウェアの形式で実現されてもよく、さらにソフトウェアプログラムモジュールの形式で実現されてもよい。なお、本発明の実施例ではユニットに対する区分が例示的なものであり、単に論理機能区分に過ぎず、実際に実現される時に別の区分方式を有してもよい。
【００８２】
集積されたユニットを用いる場合に、図６は上記実施例に関する端末の可能な機能ユニットからなるブロック図を示す。端末６００が処理ユニット６０２及び通信ユニット６０３を含む。処理ユニット６０２が端末の動作に対して制御管理を行うことに用いられ、たとえば、処理ユニット６０２は端末が図２におけるステップ２０１−２０３を実行することをサポートすることに用いられ、及び／又は本文に説明された技術の他の過程に用いられる。通信ユニット６０３が端末と他の装置の通信、たとえば図５に示されるネットワーク側装置との間の通信をサポートすることに用いられる。端末が記憶ユニット６０１を含んでもよく、端末のプログラムコード及びデータを記憶することに用いられる。
【００８３】
処理ユニット６０２がプロセッサ又は制御器であってもよく、たとえば中央演算装置（Ｃｅｎｔｒａｌ  Ｐｒｏｃｅｓｓｉｎｇ  Ｕｎｉｔ：ＣＰＵ）、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ：ＡＳＩＣ）、フフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブル論理デバイス、トランジスタ論理装置、ハードウェア部材又はその任意の組み合わせであってもよい。それは本発明に開示される内容を参照しながら説明された各種の例示的な論理ブロック、モジュール及び回路を実現し又は実行することができる。前記プロセッサは計算機能を実現する組み合わせ、たとえば１つ又は複数のマイクロプロセッサーを含む組み合わせ、ＤＳＰとマイクロプロセッサーの組み合わせ等であってもよい。通信ユニット６０３は送受信機、送受信回路等であってもよく、記憶ユニット６０１はメモリであってもよい。
【００８４】
処理ユニット６０２がプロセッサであり、通信ユニット６０３が通信インタフェースであり、記憶ユニット６０１がメモリである時、本発明の実施例に関する端末が図４に示される端末であってもよい。
【００８５】
集積されたユニットを用いる場合に、図７は上記実施例に関するネットワーク側装置の可能な機能ユニットからなるブロック図を示す。ネットワーク側装置７００が処理ユニット７０２及び通信ユニット７０３を含む。処理ユニット７０２がネットワーク側装置の動作に対して制御管理を行うことに用いられ、たとえば、処理ユニット７０２はネットワーク側装置が図２におけるステップ２０４〜２０６を実行することをサポートすることに用いられ、及び／又は本文が説明した技術の他の過程に用いられる。通信ユニット７０３がネットワーク側装置と他の装置の通信、たとえば図４に示される端末との間の通信をサポートすることに用いられる。ネットワーク側装置が記憶ユニット７０１を含んでもよく、ネットワーク側装置のプログラムコード及びデータを記憶することに用いられる。
【００８６】
処理ユニット７０２がプロセッサ又は制御器であってもよく、たとえば中央演算装置（Ｃｅｎｔｒａｌ  Ｐｒｏｃｅｓｓｉｎｇ  Ｕｎｉｔ：ＣＰＵ）、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ：ＡＳＩＣ）、フフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブル論理デバイス、トランジスタ論理装置、ハードウェア部材又はその任意の組み合わせであってもよい。それは本発明に開示される内容を参照しながら説明された各種の例示的な論理ブロック、モジュール及び回路を実現又は実行できる。前記プロセッサは計算機能を実現する組み合わせ、たとえば１つ又は複数のマイクロプロセッサーを含む組み合わせ、ＤＳＰとマイクロプロセッサーの組み合わせ等であってもよい。通信ユニット７０３は送受信機、送受信回路、高周波チップ等であってもよく、記憶ユニット７０１はメモリであってもよく。
【００８７】
処理ユニット７０２がプロセッサであり、通信ユニット７０３が通信インタフェースであり、記憶ユニット７０１がメモリである時、本発明の実施例に関するネットワーク側装置が図５に示されるネットワーク側装置であってもよい。
【００８８】
本発明の実施例はさらに別の端末を提供し、図８に示されるように、説明の便宜上、本発明の実施例に関連する部分のみを示し、具体的な技術細部が開示されていないものは、本発明の実施例の方法の部分に示される。該端末は携帯電話、タブレットＰＣ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ：販売端末）、車載コンピュータ等の任意の端末装置であってもよく、端末が携帯電話であることを例とする。
【００８９】
図８に示されるのは本発明の実施例が提供した端末に関連する携帯電話の構造の一部のブロック図である。図８に示されるように、携帯電話は、高周波（Ｒａｄｉｏ  Ｆｒｅｑｕｅｎｃｙ：ＲＦ）回路９１０、メモリ９２０、入力ユニット９３０、表示ユニット９４０、センサ９５０、音声回路９６０、ワイヤレスフィデリティ（Ｗｉｒｅｌｅｓｓ  Ｆｉｄｅｌｉｔｙ：ＷｉＦｉ）モジュール９７０、プロセッサ９８０、及び電源９９０等の部材を含む。当業者は理解できるように、図８に示される携帯電話構造が携帯電話を制限するものではなく、図面より多く又は少ない部材、又はある部材の組み合わせ、又は異なる部材配置を含んでも良い。
【００９０】
以下では図８を参照しながら携帯電話の各構成部材を具体的に説明する。
【００９１】
ＲＦ回路９１０が情報の受信及び送信に用いられてもよい。一般的に、ＲＦ回路９１０がアンテナ、少なくとも１つの増幅器、送受信機、カプラー、低雑音増幅器（Ｌｏｗ  Ｎｏｉｓｅ  Ａｍｐｌｉｆｉｅｒ：ＬＮＡ）、ダイプレクサ等を含むがそれらに制限されない。また、ＲＦ回路９１０がさらに無線通信によりネットワーク及び他の装置と通信できる。上記無線通信が任意の通信標準又はプロトコルを使用でき、グローバルモバイル通信システム（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ）、汎用パケット無線サービス（Ｇｅｎｅｒａｌ  Ｐａｃｋｅｔ  Ｒａｄｉｏ  Ｓｅｒｖｉｃｅ：ＧＰＲＳ）、符号分割多元接続（Ｃｏｄｅ  Ｄｉｖｉｓｉｏｎ  Ｍｕｌｔｉｐｌｅ  Ａｃｃｅｓｓ：ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）、ロングタームエボリューション（Ｌｏｎｇ  Ｔｅｒｍ  Ｅｖｏｌｕｔｉｏｎ：ＬＴＥ）、電子メール、メッセージサービス（Ｓｈｏｒｔ  Ｍｅｓｓａｇｉｎｇ  Ｓｅｒｖｉｃｅ：ＳＭＳ）等を含むがそれらに制限されない。
【００９２】
メモリ９２０がソフトウェアプログラム及びモジュールを記憶することに用いられてもよく、プロセッサ９８０がメモリ９２０に記憶されるソフトウェアプログラム及びモジュールを実行することにより、携帯電話の各種の機能アプリケーション及びデータ処理を実行する。メモリ９２０が主にプログラム記憶領域及びデータ記憶領域を含んでもよく、プログラム記憶領域がオペレーティングシステム、少なくとも１つの機能に必要なアプリケーションプログラム等を記憶でき、データ記憶領域が携帯電話の使用に基づいて新規作成されるデータ等を記憶できる。また、メモリ９２０が高速ランダムアクセス記憶装置を含んでもよく、さらに不揮発性メモリ、たとえば少なくとも１つの磁気ディスク記憶デバイス、フラッシュメモリデバイス、又は他の揮発性固体状態記憶デバイスを含んでもよい。
【００９３】
入力ユニット９３０が入力されたデジタル又は文字情報を受信し、及び携帯電話のユーザー設定及び機能制御に関連するキー信号入力を生成することに用いられてもよい。具体的に、入力ユニット９３０が指紋認識モジュール９３１及び他の入力装置９３２を含んでもよい。指紋認識モジュール９３１がユーザーのそれにおける指紋データを収集できる。指紋認識モジュール９３１に加え、入力ユニット９３０がさらに他の入力装置９３２を含んでもよい。具体的に、他の入力装置９３２がタッチパネル、物理キーボード、ファンクションキー（たとえば音量制御キー、スイッチキー等）、トラックボール、マウス、操作レバー等の１つ又は複数種を含んでもよいがそれらに制限されない。
【００９４】
表示ユニット９４０がユーザーによって入力される情報又はユーザーに提供する情報及び携帯電話の各種のメニューを表示することに用いられてもよい。表示ユニット９４０がディスプレイスクリーン９４１を含んでもよく、選択可能に、液晶ディスプレイ（Ｌｉｑｕｉｄ  Ｃｒｙｓｔａｌ  Ｄｉｓｐｌａｙ：ＬＣＤ）、有機発光ダイオード（Ｏｒｇａｎｉｃ  Ｌｉｇｈｔ−Ｅｍｉｔｔｉｎｇ  Ｄｉｏｄｅ：ＯＬＥＤ）等の形式でディスプレイスクリーン９４１を配置してもよい。図８では、指紋認識モジュール９３１及びディスプレイスクリーン９４１が独立した２つの部材として携帯電話の入力及び入力機能を実現するが、ある実施例では、指紋認識モジュール９３１及びディスプレイスクリーン９４１を集積して携帯電話の入力及び再生機能を実現してもよい。
【００９５】
携帯電話がさらに少なくとも１種のセンサ９５０、たとえば光センサ、動作センサ及び他のセンサを含んでもよい。具体的に、光センサが環境光センサ及び近接センサを含んでもよく、環境光センサが環境光線の明るさに基づいてディスプレイスクリーン９４１の輝度を調節でき、近接センサは携帯電話が耳のそばに移動する時、ディスプレイスクリーン９４１及び／又はバックライトを閉じることができる。動作センサの１つとして、加速度計センサが各方向（一般的に三軸である）における加速度の大きさを検出でき、静止する時に重力の大きさ及び方向を検出でき、携帯電話姿態を識別するアプリケーション（たとえばスクリーンの水平及び垂直切り替え、関連ゲーム、磁力計姿態校正）、振動識別に関連する機能（たとえば万歩計、ノック）等に用いられてもよく、さらに携帯電話に配置できるジャイロスコープ、気圧計、湿度計、温度計、赤外線センサ等の他のセンサは、ここで説明を省略する。
【００９６】
音声回路９６０、スピーカ９６１、マイクロフォン９６２がユーザーと携帯電話との間の音声インタフェースを提供できる。音声回路９６０が受信された音声データ変換後の電気信号をスピーカ９６１に伝送でき、スピーカ９６１で音声信号に変換して再生する。一方、マイクロフォン９６２が収集された音声信号を電気信号に変換し、音声回路９６０で受信した後に音声データに変換し、さらに、音声データをプロセッサ９８０で処理した後、ＲＦ回路９１０を経由して、それにより別の携帯電話に送信し、又は音声データをメモリ９２０に再生し、それによりさらに処理する。
【００９７】
ＷｉＦｉが短距離無線伝送技術に属し、携帯電話はＷｉＦｉモジュール９７０により、ユーザーが電子メールを受信し及び送信し、ウェブページを閲覧し及びストリーミングメディアにアクセスする等に手伝うことができ、それがユーザーにアクセス可能な無線の広帯域インターネットを提供する。図８はＷｉＦｉモジュール９７０を示したが、理解できるように、それは携帯電話に必要な構成に属するものではなく、完全に必要に応じて発明の本質を変更しない範囲では省略できる。
【００９８】
プロセッサ９８０が携帯電話の制御センターであり、各種のインタフェース及び線路を利用して携帯電話全体の各部に接続され、メモリ９２０内に記憶されるソフトウェアプログラム及び／又はモジュールを運転又は実行し、及びメモリ９２０内に記憶されるデータを呼び出すことにより、携帯電話の各種機能を実行し及びデータを処理し、それにより携帯電話全体を監視する。選択可能に、プロセッサ９８０が１つ又は複数の処理ユニットを含んでもよく、好ましくは、プロセッサ９８０がアプリケーションプロセッサ及びモデムプロセッサを集積でき、アプリケーションプロセッサが主にオペレーティングシステム、ユーザーインタフェース及びアプリケーションプログラム等を処理し、モデムプロセッサが主に無線通信を処理する。理解できるように、上記モデムプロセッサがプロセッサ９８０に集積されなくてもよい。
【００９９】
携帯電話がさらに各部材に給電する電源９９０（たとえば電池）を含み、好ましくは、電源が電源管理システムを介してプロセッサ９８０に論理的に接続され、それにより電源管理システムを介して充電、放電の管理及び電力損失管理等の機能を実現する。
【０１００】
示されていないが、携帯電話がカメラ、ブルートゥースモジュール等を含んでもよく、ここで説明を省略する。
【０１０１】
上記した図２に示される実施例では、各ステップ方法において端末側のプロセスが該携帯電話の構造に基づいて実現できる。
【０１０２】
上記した図４、図５に示される実施例では、各ユニット機能は該携帯電話の構造に基づいて実現できる。
【０１０３】
本発明の実施例はさらにコンピュータ読み取り可能な記憶媒体を提供し、前記コンピュータ読み取り可能な記憶媒体が電子データ交換のためのコンピュータプログラムを記憶し、前記コンピュータプログラムはコンピュータに上記方法実施例における端末が説明した一部又は全部のステップを実行させる。
【０１０４】
本発明の実施例はさらにコンピュータ読み取り可能な記憶媒体を提供し、前記コンピュータ読み取り可能な記憶媒体が電子データ交換のためのコンピュータプログラムを記憶し、前記コンピュータプログラムはコンピュータに上記方法実施例におけるネットワーク側装置が説明した一部又は全部のステップを実行させる。
【０１０５】
本発明の実施例はさらにコンピュータプログラム製品を提供し、前記コンピュータプログラム製品がコンピュータプログラムを記憶する不揮発性コンピュータ読み取り可能な記憶媒体を含み、前記コンピュータプログラムは操作可能であり、コンピュータに上記方法実施例における端末が説明した一部又は全部のステップを実行させる。該コンピュータプログラム製品が１つのソフトウェアインストールパッケージであってもよい。
【０１０６】
本発明の実施例はさらにコンピュータプログラム製品を提供し、前記コンピュータプログラム製品がコンピュータプログラムを記憶する不揮発性コンピュータ読み取り可能な記憶媒体を含み、前記コンピュータプログラムは操作可能であり、コンピュータに上記方法におけるネットワーク側装置が説明した一部又は全部のステップを実行させる。該コンピュータプログラム製品が１つのソフトウェアインストールパッケージであってもよい。
【０１０７】
本発明の実施例が説明した方法又はアルゴリズムのステップはハードウェアの方式で実現されてもよく、さらにプロセッサがソフトウェア命令を実行する方式で実現されてもよい。ソフトウェア命令が対応するソフトウェアモジュールで構成されてもよく、ソフトウェアモジュールがランダムアクセス記憶装置（Ｒａｎｄｏｍ  Ａｃｃｅｓｓ  Ｍｅｍｏｒｙ：ＲＡＭ）、フラッシュメモリ、読み出し専用メモリ（Ｒｅａｄ  Ｏｎｌｙ  Ｍｅｍｏｒｙ：ＲＯＭ）、消去可能プログラマブル読み取り専用メモリ（Ｅｒａｓａｂｌｅ  Ｐｒｏｇｒａｍｍａｂｌｅ  ＲＯＭ：ＥＰＲＯＭ）、電気的消去可能プログラマブル読み取り専用メモリ（Ｅｌｅｃｔｒｉｃａｌｌｙ  ＥＰＲＯＭ：ＥＥＰＲＯＭ）、レジスタ、ハードディスク、ポータブルハードディスク、リードオンリーディスク（ＣＤ−ＲＯＭ）又は本分野には熟知された任意の他の形式の記憶媒体に記憶されてもよい。例示的な記憶媒体がプロセッサに結合され、それによりプロセッサが該記憶媒体から情報を読み取ることができ、且つ該記憶媒体に情報を書き込むことができ。当然なことながら、記憶媒体がプロセッサの構成の一部であってもよい。プロセッサ及び記憶媒体がＡＳＩＣに位置してもよい。また、該ＡＳＩＣがアクセスネットワーク装置、目標ネットワーク装置又はコアネットワーク装置に位置してもよい。当然なことながら、プロセッサ及び記憶媒体がさらに離散コンポーネントとしてアクセスネットワーク装置、目標ネットワーク装置又はコアネットワーク装置に位置してもよい。
【０１０８】
上記１つの又は複数の例示では、本発明の実施例が説明した機能は全部又は一部がソフトウェア、ハードウェア、ファームウェア又はその任意の組み合わせで実現できることは、当業者にとっては想到すべきである。ソフトウェアを使用して実現する時、全部又は一部がコンピュータプログラム製品の形式で実現できる。前記コンピュータプログラム製品が１つの又は複数のコンピュータ命令を含む。コンピュータにおいて前記コンピュータプログラム命令をローディングし及び実行する時、全部又は一部が本発明の実施例に記載のプロセス又は機能を生成する。前記コンピュータが汎用コンピュータ、専用コンピュータ、コンピュータネットワーク、又は他のプログラマブル装置であってもよい。前記コンピュータ命令がコンピュータ読み取り可能な記憶媒体に記憶されてもよく、又は１つのコンピュータ読み取り可能な記憶媒体から別のコンピュータ読み取り可能な記憶媒体に伝送され、たとえば、前記コンピュータ命令が１つのウエブサイト、コンピュータ、サーバ又はデータセンターから有線（たとえば同軸ケーブル、光ファイバー、デジタル加入者線（Ｄｉｇｉｔａｌ  Ｓｕｂｓｃｒｉｂｅｒ  Ｌｉｎｅ：ＤＳＬ））又は無線（たとえば赤外線、無線、マイクロ波等）方式で別のウエブサイト、コンピュータ、サーバ又はデータセンターに伝送されてもよい。前記コンピュータ読み取り可能な記憶媒体はコンピュータアクセス可能な任意の利用可能な媒体又は１つであってもよく、又は複数の利用可能な媒体が集積したサーバ、データセンター等のデータ記憶デバイスであってもよい。前記利用可能な媒体が磁気媒体（たとえば、フロッピーディスク、ハードディスク、テープ）、光媒体（たとえば、デジタルビデオディスク（Ｄｉｇｉｔａｌ  Ｖｉｄｅｏ  Ｄｉｓｃ：ＤＶＤ））、又は半導体媒体（たとえば、ソリッドステートドライブ（Ｓｏｌｉｄ  Ｓｔａｔｅ  Ｄｉｓｋ：ＳＳＤ））等であってもよく。
【０１０９】
以上に記載の具体的な実施形態は、本発明の実施例の目的、技術案及び有益な効果をさらに詳細に説明し、理解すべきことは、以上の説明は単に本発明の実施例の具体的な実施形態に過ぎず、本発明の実施例の保護範囲を制限するものではなく、本発明の実施例の技術案を基礎として行われた改定、等価置換、改良等が、本発明の実施例の保護範囲に含まれるべきであるものである。
【図１】
2020519125.tif 000011
【図２】
2020519125.tif 000012
【図３Ａ】
2020519125.tif 000013
【図３Ｂ】
2020519125.tif 000014
【図３Ｃ】
2020519125.tif 000015
【図３Ｄ】
2020519125.tif 000016
【図３Ｅ】
2020519125.tif 000017
【図３Ｆ】
2020519125.tif 000018
【図４】
2020519125.tif 000019
【図５】
2020519125.tif 000020
【図６】
2020519125.tif 000021
【図７】
2020519125.tif 000022
【図８】
2020519125.tif 000023
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
スケジューリング要求伝送制御方法であって、
端末がネットワーク側装置に指示する必要がある第一パラメータの参照情報を取得することであって、前記第一パラメータが前記端末の伝送対象のキャッシュデータに関連するパラメータであり、前記第一パラメータの参照情報はネットワーク側装置が認可リソースを決定することに用いられ、前記認可リソースが前記キャッシュデータを伝送することに用いられることと、
前記端末が予め設定された第一パラメータの情報と物理上り制御チャネル（ＰＵＣＣＨ）リソースの第二パラメータの情報との間のマッピング関係を問い合わせ、前記第一パラメータの参照情報に対応するＰＵＣＣＨリソースの第二パラメータの参照情報を取得することであって、前記第二パラメータがスケジューリング要求（ＳＲ）を伝送するためのＰＵＣＣＨリソースに関連するパラメータであることと、
前記端末が前記第二パラメータの参照情報によって決定されるＰＵＣＣＨリソースにおいて前記キャッシュデータをスケジューリングするための前記ＳＲを伝送することと、を含むことを特徴とする、前記スケジューリング要求伝送制御方法。
【請求項２】
前記端末がネットワーク側装置に指示する必要がある第一パラメータの参照情報を取得する前、前記方法はさらに、
前記端末が前記キャッシュデータを取得することを含むことを特徴とする
請求項１に記載の方法。
【請求項３】
前記端末がネットワーク側装置に指示する必要がある第一パラメータの参照情報を取得することは、
前記端末が前記キャッシュデータを伝送する上り共有チャネル（ＵＬ−ＳＣＨ）リソースを取得していないことを検出した時、ネットワーク側装置に指示する必要がある第一パラメータの参照情報を取得することを含むことを特徴とする
請求項１又は２に記載の方法。
【請求項４】
前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含むことを特徴とする
請求項１〜３のいずれか１項に記載の方法。
【請求項５】
前記端末の伝送対象のキャッシュデータに関連するパラメータは、前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含むことを特徴とする
請求項１〜４のいずれか１項に記載の方法。
【請求項６】
前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含むことを特徴とする
請求項１〜５のいずれか１項に記載の方法。
【請求項７】
スケジューリング要求伝送制御方法であって、
ネットワーク側装置が第二パラメータの参照情報によって決定される物理上り制御チャネル（ＰＵＣＣＨ）リソースにおいてキャッシュデータをスケジューリングするためのスケジューリング要求（ＳＲ）を受信することであって、前記第二パラメータが前記ＳＲを伝送するためのＰＵＣＣＨリソースに関連するパラメータであることと、
前記ネットワーク側装置が予め設定された第一パラメータの情報と物理上り制御チャネル（ＰＵＣＣＨ）リソースの第二パラメータの情報との間のマッピング関係を問い合わせ、前記第二パラメータの参照情報に対応する第一パラメータの参照情報を取得することであって、前記第一パラメータが端末の伝送対象のキャッシュデータに関連するパラメータであることと、
前記ネットワーク側装置が前記キャッシュデータを伝送するための認可リソースのリソーススケジューリング命令を送信することであって、前記リソーススケジューリング命令が前記第二パラメータの参照情報によって決定される認可リソースの指示情報を含むことと、を含むことを特徴とする、前記スケジューリング要求伝送制御方法。
【請求項８】
前記ネットワーク側装置が前記キャッシュデータを伝送するための認可リソースのリソーススケジューリング命令を送信した後、前記方法はさらに、
前記ネットワーク側装置が前記第二パラメータの参照情報によって決定される認可リソースにおいて前記キャッシュデータを受信することを含むことを特徴とする
請求項７に記載の方法。
【請求項９】
前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含むことを特徴とする
請求項７又は８に記載の方法。
【請求項１０】
前記端末の伝送対象のキャッシュデータに関連するパラメータは、前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含むことを特徴とする
請求項７〜９のいずれか１項に記載の方法。
【請求項１１】
前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含むことを特徴とする
請求項７〜１０のいずれか１項に記載の方法。
【請求項１２】
端末であって、
処理ユニット及び通信ユニットを含み、
前記処理ユニットは、前記通信ユニットによりネットワーク側装置に指示する必要がある第一パラメータの参照情報を取得するように構成され、前記第一パラメータが前記端末の伝送対象のキャッシュデータに関連するパラメータであり、前記第一パラメータの参照情報はネットワーク側装置が認可リソースを決定することに用いられ、前記認可リソースが前記キャッシュデータを伝送することに用いられ、及び、予め設定された第一パラメータの情報と物理上り制御チャネル（ＰＵＣＣＨ）リソースの第二パラメータの情報との間のマッピング関係を問い合わせ、前記第一パラメータの参照情報に対応するＰＵＣＣＨリソースの第二パラメータの参照情報を取得するように構成され、前記第二パラメータが前記ＳＲを伝送するためのＰＵＣＣＨリソースに関連するパラメータであり、及び、前記第二パラメータの参照情報によって決定されるＰＵＣＣＨリソースにおいて前記通信ユニットにより前記キャッシュデータをスケジューリングするためのスケジューリング要求（ＳＲ）を伝送するように構成されることを特徴とする、前記端末。
【請求項１３】
前記処理ユニットはさらに、ネットワーク側装置に指示する必要がある第一パラメータの参照情報を取得する前に、前記通信ユニットによって前記キャッシュデータを取得するように構成されることを特徴とする
請求項１２に記載の端末。
【請求項１４】
前記処理ユニットは、前記キャッシュデータを伝送する上り共有チャネル（ＵＬ−ＳＣＨ）リソースを取得していないことを検出した時、ネットワーク側装置に指示する必要がある第一パラメータの参照情報を取得するように構成されることを特徴とする
請求項１２又は１３に記載の端末。
【請求項１５】
前記キャッシュデータが少なくとも前記端末の論理リンク制御（ＲＬＣ）層にキャッシュされるデータ、前記端末のパケットデータコンバージェンスプロトコル（ＰＤＣＰ）層にキャッシュされるデータのうちの１つを含むことを特徴とする
請求項１２〜１４のいずれか１項に記載の端末。
【請求項１６】
前記端末の伝送対象のキャッシュデータに関連するパラメータは、前記キャッシュデータを伝送するための認可リソースの物理層パラメータｎｕｍｅｒｏｌｏｇｙ、前記キャッシュデータを伝送するための認可リソースの伝送時間間隔周期（ＴＴＩ  ｄｕｒａｔｉｏｎ）、前記キャッシュデータのデータ量のうちの任意の１つを含み、
前記第二パラメータが少なくともＰＵＣＣＨリソースのリソースタイプ、ＰＵＣＣＨリソースのリソースブロック識別子、ＰＵＣＣＨリソースにおいてＳＲを繰り返し伝送する回数のうちの１つを含むことを特徴とする
請求項１２〜１５のいずれか１項に記載の端末。
【請求項１７】
前記ＰＵＣＣＨリソースが少なくとも短い周期（ｓｈｏｒｔ−ｄｕｒａｔｉｏｎ）のＰＵＣＣＨリソース、長い周期（ｌｏｎｇ−ｄｕｒａｔｉｏｎ）のＰＵＣＣＨリソースのうちの１つを含むことを特徴とする
請求項１２〜１６のいずれか１項に記載の端末。
【請求項１８】
ネットワーク側装置であって
処理ユニット及び通信ユニットを含み、
前記処理ユニットは、第二パラメータの参照情報によって決定される物理上り制御チャネル（ＰＵＣＣＨ）リソースにおいて前記通信ユニットによりキャッシュデータをスケジューリングするためのスケジューリング要求（ＳＲ）を受信するように構成され、前記第二パラメータが前記ＳＲを伝送するためのＰＵＣＣＨリソースに関連するパラメータであり、及び、予め設定された第一パラメータの情報と物理上り制御チャネル（ＰＵＣＣＨ）リソースの第二パラメータの情報との間のマッピング関係を問い合わせ、前記第二パラメータの参照情報に対応する第一パラメータの参照情報を取得するように構成され、前記第一パラメータが端末の伝送対象のキャッシュデータに関連するパラメータであり、及び、前記通信ユニットにより前記キャッシュデータを伝送するための認可リソースのリソーススケジューリング命令を送信するように構成され、前記リソーススケジューリング命令が前記第二パラメータの参照情報によって決定される認可リソースの指示情報を含むことを特徴とする、前記ネットワーク側装置。
【国際調査報告】
2020519125.tif 000024
2020519125.tif 000025
2020519125.tif 000026
2020519125.tif 000027